(57)【要約】  【課題】複数枚の用紙を重層した状態で製本される冊子の断裁面に、文字、記号、図形、模様等からなる表記を現すことができるようにする。また、ノーカーボンタイプの複写簿における断裁面の発色を、減感剤や消色剤を用いずに消す。  【解決手段】各用紙１の端縁１１ａ、１２ａ、１３ａの集合からなる断裁面１Ｘに対し非接触で断裁面１Ｘを部分的に除去する非接触除去手段、例えばレーザ光Ｌを照射により、文字、記号、図形、模様等からなる表記Ｑを形成し、この断裁面１Ｘを、斯かる表記Ｑを有する表示領域１Ｑとした。また、複写簿Ａの断裁面１Ｘを、非接触除去手段、例えばレーザ光Ｌの照射によって全面的に除去して用紙１の地色を露呈させることで、製本時の断裁圧により生じる断裁面１Ｘの発色を消した。【選択図】図４
2006001029.tif 000002
【特許請求の範囲】
【請求項１】
複数枚の用紙を重層した状態で製本される冊子であって、
各用紙の端縁の集合からなる断裁面に対し非接触で該断裁面を部分的に除去する非接触除去手段によって文字、記号、図形、模様等からなる表記を形成し、当該断裁面を前記表記を有する表示領域としていることを特徴とする冊子。
【請求項２】
前記非接触除去手段として、前記断裁面に照射するレーザ光を適用している請求項１記載の冊子。
【請求項３】
前記非接触除去手段により部分的に除去される断裁面が、製本により前記用紙が綴られる綴り元側の端縁以外の端縁の集合からなる断裁面である請求項１又は２記載の冊子。
【請求項４】
前記表記が、前記断裁面のうち前記非接触除去手段によって除去された部分である請求項１、２又は３記載の冊子。
【請求項５】
前記表記が、前記断裁面のうち前記非接触除去手段によって除去されていない残余部分である請求項１、２又は３記載の冊子。
【請求項６】
前記断裁面が、前記用紙の地色とは異なる色の塗料又は箔で塗工されたものであり、前記表記が、前記非接触除去手段によって前記塗料又は箔を断裁面と共に部分的に除去して形成したものである請求項１、２、３、４又は５記載の冊子。
【請求項７】
前記用紙として、発色剤内蔵マイクロカプセルを裏面に塗工した上用紙と、加圧により破壊された前記マイクロカプセルから流出する発色剤と発色反応を示す顕色剤を表面に塗工した下用紙とを重層し、又は前記上用紙と下用紙との間に前記顕色剤を表面に前記発色剤内蔵マイクロカプセルを裏面にそれぞれ塗工した一枚以上の中用紙を重層したノーカーボンタイプの複写帳票組を一セット以上有してなり、前記上用紙及び下用紙、又は、上用紙、中用紙及び下用紙の各原紙を前記複写帳票組の順に重層した原紙セットを一セット又は複数セット重積した状態で、所要箇所を紙面と直交する方向に断裁することによって複写帳票組のセットを一以上得るようにした複写式の冊子であって、
断裁された一セット以上の複写帳票組において断裁圧により発色剤と顕色剤との反応により発色した断裁面に、前記非接触除去手段によって前記表記を形成していることを特徴とする請求項１、２、３、４又は５記載の冊子。
【請求項８】
前記複数枚の用紙が、表面又は裏面の少なくとも何れか一面の前記断裁面と接する端部に当該用紙とは異なる色の着色部分を有するものであり、且つ前記断裁面側から当該着色部分が断裁面とは異なる色として視認可能なものであって、前記表記を、前記非接触除去手段によって前記断裁面のうち前記着色部分が視認される部位に形成している請求項１、２、３又は４記載の冊子。
【請求項９】
前記用紙が、製本後の綴り元側の端縁を含む綴り元端部を残して切り離し可能なものであって、前記表記を、前記綴り元端部において前記綴り元側の端縁以外の断裁面に形成している請求項１、２、３、４、５、６、７又は８記載の冊子。
【請求項１０】
前記用紙が、一部を残して切り離し可能なものであって、前記表記を、前記用紙のうち切り離されない残存部分の断裁面に形成している請求項１、２、３、４、５、６、７又は８記載の冊子。
【請求項１１】
発色剤内蔵マイクロカプセルを裏面に塗工した上用紙と、加圧により破壊された前記マイクロカプセルから流出する発色剤と発色反応を示す顕色剤を表面に塗工した下用紙とを重層し、又は前記上用紙と下用紙との間に前記顕色剤を表面に前記発色剤内蔵マイクロカプセルを裏面にそれぞれ塗工した一枚以上の中用紙を重層したノーカーボンタイプの複写帳票組を一セット以上有してなり、前記上用紙及び下用紙、又は、上用紙、中用紙及び下用紙の各原紙を前記複写帳票組の順に重層した原紙セットを一セット又は複数セット重積した状態で、所要箇所を紙面と直交する方向に断裁することによって複写帳票組のセットを一以上得るようにした複写簿であって、
断裁された一セット以上の複写帳票組において断裁圧により発色剤と顕色剤との反応による発色を生じ断裁面に対し非接触で該断裁面を除去する非接触除去手段によって、前記発色を消去して断裁面に前記用紙の地色を露呈させていることを特徴とする複写簿。
【請求項１２】
前記非接触除去手段として、前記断裁面に照射するレーザ光を適用している請求項１１記載の複写簿。
【請求項１３】
前記一セット以上の複写帳票組を製本した際の綴り側となる前記断裁面以外の断裁面の略全域を前記非接触除去手段で除去することによって、当該断裁面に前記用紙の地色を露呈させている請求項１１又は１２記載の複写簿。
【請求項１４】
前記上用紙、下用紙、又は中用紙の少なくとも一種類が、製本後の綴り元側の端縁を含む綴り元端部を残して切り離し可能なものであって、前記表記を、前記綴り元端部において前記綴り元側の端縁以外の断裁面に形成している請求項１１、１２又は１３記載の複写簿。
【発明の詳細な説明】
【技術分野】
【０００１】
本発明は、帳簿、ノート、用箋、メモ帳、伝票、本等の複数の用紙が重層された形態の冊子、及び斯かる冊子の一態様である複写簿に関するものである。
【背景技術】
【０００２】
用紙を複数枚重ね合わせることによって形成される一般的な冊子、例えば帳簿、ノート、用箋、メモ帳、伝票、本等は、所要枚数積層した原紙を断裁する工程を経て製造され、通常は綴り側を除く三方の断裁面が露出された状態となっている。ここで「用紙」とは、原紙から所定のサイズに断裁された状態のものをいい、「断裁面」とは、上述した断裁の結果表出した原紙の断面である用紙の端縁が積層されることによって形成された面をいうものとする。このように露出された３つの断裁面は、用紙の地色一色が現れた状態とされているが、断裁面に塗料や金箔等を塗布して商品価値を高めた帳簿、ノート、手帳、書籍等の冊子も存在する（例えば、非特許文献１参照）。このように断裁面に塗布される色は通常、一色である。なお、用紙の表面（又は裏面）における端縁近傍に用紙色とは異なる着色領域（複数の色が使用されることがある）を設けることにより、断裁面側から当該着色領域の色が見えるようにした冊子もある。このような冊子では、多数枚重層された用紙の断裁工程又は製本工程における僅かなズレによって前記着色領域のごく一部が断裁面側に露出する結果、あたかも断裁面に着色を施したように見えるものであり、この色を見出しの目印等としての利用に供されているが、断裁面自体はあくまで用紙の地色を呈している。
【０００３】
これらの他にも、カーボン紙を用いない所謂ノーカーボンタイプの複写簿では、断裁面が青や黒に呈色しているものがある。この現象は、複写簿自体の次のような構造的要因によるものである。すなわち一般にノーカーボンタイプの複写簿は、発色剤内蔵マイクロカプセルを裏面に塗工した上用紙と、加圧により破壊された前記マイクロカプセルから流出する発色剤と発色反応を示す顕色剤を表面に塗工した下用紙とを重層した複写帳票組、或いは、上述のような上用紙と下用紙との間に顕色剤を表面に発色剤内蔵マイクロカプセルを裏面にそれぞれ塗工した一枚以上の中用紙を重層した複写帳票組を一セットとして複数セット重積した状態で一端部を綴じることにより製本されている。そして、上用紙にペン等で筆記された場合、その筆圧で上用紙ないし中用紙の裏面に塗工されたマイクロカプセルが破壊されて内部の発色剤が流出し、中用紙ないし下用紙の表面に塗工された顕色剤と反応して発色することにより、中用紙ないし下用紙の表面に上用紙に筆記された文字等と同一の文字等が複写される。このような構成を有する複写簿は、上用紙及び下用紙、又は、上用紙、中用紙及び下用紙のそれぞれの原紙を複写帳票組の順に重層し原紙セットを複数セット重積した状態で、あるいはこれらに加えて上用紙の原紙の上には表表紙の原紙を設け下用紙の原紙の下には裏表紙の原紙を断裁前に予め設けた状態で、所要箇所を紙面と直交する方向に断裁することによって、重積された複数の複写帳票組のセットを複数得るようにして製本前の状態に仕上げられる。ここで、断裁機によって原紙に刃を入れると、その刃先から受ける圧力で断裁箇所のマイクロカプセルが破壊される結果、複数の複写帳票組のセットにおける断裁面に発色剤と顕色剤との反応による発色が生じる。したがって、発色剤と顕色剤との反応に基づく色が、製品としての複写簿の断裁面に呈色するのである。なお、従来は、このような断裁面の発色を残したまま複写簿として製本され販売されていたが、その状態の複写簿を販売店で陳列すると、特に断裁面が白いノート等と並べて陳列した場合に、複写簿の断裁面が発色のためひときわ浮き上がって目立ち、店内の景観を損ねるとも考えられ、また、断裁面の色が日光等を受けて経時的に斑模様に変色したり、断裁機の刃に欠けがあると断裁面に雨模様の筋が生じることがあり、複写簿自体の外観が損なわれ商品価値も低下してしまうとも考えられることから、複写簿の断裁面における用紙の地色が現れるようにする方法が種々考えられている。このような方法としては例えば、中用紙ないし下用紙の表面の全面ではなく断裁される部分を除く複写に必要な領域にのみ部分的に顕色剤を塗工しておき、断裁面では発色させないようにする方法や、中用紙ないし下用紙の表面における縁部に該当する各々の原紙の部位に、発色剤と顕色剤との反応を抑制する減感インキを予め印刷しておく方法（例えば、特許文献１参照）、断裁後により発色した断裁面に対し消色剤を塗布する方法（特願２００４−０７２９３７明細書）などが挙げられる。
【特許文献１】特開２００２−３０７８６８号公報
【非特許文献１】「コクヨ  オフィスサプライズ編  ２００４年版（総合カタログ）」，コクヨ株式会社，平成１５年１２月発行，ｐ５８４（８  「ノート式帳簿」）
【発明の開示】
【発明が解決しようとする課題】
【０００４】
ところで、各種の冊子においては、その商品名、型番、製造者、ロゴ等の文字、記号、模様等からなる表記が、表紙（オモテ表紙、ウラ表紙、背表紙のいずれか）に表示されているのが通常であり、一般的には冊子を構成している用紙の端縁の集合からなる断裁面には通常は何らの表示もなされていない。すなわち上述したように、各種の冊子における断裁面は、用紙の地色が現れているか、商品価値を高めるための着色が施されているか、ノーカーボンタイプの複写簿のように構造的要因により発色しているか、等の何れかに該当して基本的には単色とされているが、この断裁面を上述のような表記を表示するためには積極的な活用がなされていないのが現状である。斯かる冊子を、前述の各種表記が使用者から見えないか見えにくい状態で書棚や机の抽斗等に配列した場合、すなわち背表紙を後ろ向きにした状態で冊子を配列した場合や、オモテ表紙やウラ表紙が他の冊子と対面した状態で配列した場合には、どの冊子が何であるかが分かりづらく、目的の冊子を即座には取り出しにくいことがある。なお、例えば辞書等の書籍では、断裁面に見出し表記（国語辞書や和英辞書等では「あ」「い」「う」等の五十音、英和辞書等では「Ａ」「Ｂ」「Ｃ」等のアルファベット）を印刷してあるものがあるが、用紙の端縁の束である断裁面にこのような印刷を施すと、密接に重ね合わされた用紙同士がインクの粘性のために接着された状態となり、ページ捲りに支障を来すという問題がある。
【０００５】
一方、特にノーカーボンタイプの複写簿については、上述のように断裁面に現れる発色を消すための技術が種々考えられているが、所要箇所にのみ顕色剤を塗工するのは手間であるという問題、減感剤や消色剤が比較的高価であるために製造コストが高く付くという問題、減感剤や消色剤が誤って用紙の表面に付着すると本来複写がなされるべき箇所において発色が阻害されて致命的な不良品となりかねないという問題など、種々の問題がある。したがって、断裁面に発色を残さないためのより安価で確実且つ簡便な技術が求められている。
【０００６】
そこで本発明は、以上のような問題に鑑みて、断裁面をこれまでにない新たな表示領域として活用することができる新たな冊子を提供することを第一の目的とし、これと同様の技術を用いて断裁面の発色を消して綺麗に仕上げたノーカーボンタイプ複写簿を提供することを第二の目的とするものである。
【課題を解決するための手段】
【０００７】
すなわち、本発明の冊子は、複数枚の用紙を重層した状態で製本されるものであって、各用紙の端縁の集合からなる断裁面に対し非接触で該断裁面を部分的に除去する非接触除去手段により文字、記号、図形、模様等からなる表記を形成し、当該断裁面を、前記表記を有する表示領域としていることを特徴とする。
【０００８】
なお、本明細書でいうところの「冊子」とは、帳簿、ノート、用箋、メモ帳、伝票、本（書籍、雑誌）等の、複数の用紙を重ね合わせた状態で提供されるもの全てを含む。また「断裁面」とは、冊子のうち、重ねられた用紙の端縁が連続して「面」を形成している部位を指す。さらに「表記」とは、文字、記号、模様等からなるものであり、具体的には当該冊子の商品名、品番、型番、販売コード、製造又は販売会社名、当該会社のロゴ、改竄防止用の図形や模様、名入れサービス等による使用者名、その他適宜の文字、図形、模様等が該当する。また、非接触除去手段とは、文字通り断裁面に物理的な接触をすることなく断裁面を除去できるものであり、具体的には、強力な光（可視光、不可視（紫外、赤外、レーザ）光を含む）、熱等が該当する。
【０００９】
このような本発明の冊子であれば、従来の冊子のようにオモテ表紙、ウラ表紙、背表紙のみを商品名、型番、ロゴ等の表記の表示領域とするのにとどまらず、断裁面をも新たに表示領域として利用することができるようになる。また、従来の冊子のなかには、印刷により断裁面に見出し表記を表示していたものもあるが、本願発明のように非接触で表記を形成すれば、インクにより用紙同士が接着してページ捲りに支障を来すという不具合、或いはインクによる滲み等の不具合も生じ得ない。特に有効な非接触除去手段としては、レーザ光を挙げることができる。このようにレーザ光等の照射によって断裁面を部分的且つ瞬時に昇華又は蒸発させて除去することで表記を形成すれば、文字や図形、模様等を小さくも大きくも自在に描くことができるため、あらゆる態様の冊子にも本発明を適用することが可能となる。また、刃物で断裁面に表記を刻印するのとは異なり、削り屑や表記の誤差・ズレなども生じることがない。さらにまた、冊子の断裁面に対してレーザ光等の照射を行うため、例えば複数の冊子を積み重ねた状態で載置した状態でレーザ光の照射を行えば、複数の冊子の断裁面への照射による表記の形成を一挙に実施することができ、斯かる処理のためのスペースや時間、コストの低減をも実現することができる。
【００１０】
冊子を製本するに際し一端側で綴る場合、実用的には、レーザ光等を照射する等の非接触除去手段によって前記表示領域を形成する断裁面を、製本により複数の用紙が綴られる綴り元側の端縁以外の端縁の集合からなる断裁面とすればよい。
【００１１】
断裁面における好ましい表記の態様としては、断裁面に対して照射されたレーザ光等の非接触除去手段によって除去された部分を前記表記としたもの、又は断裁面に対して照射されたレーザ光等の非接触除去手段によって除去されていない残余部分を前記表記としたものが挙げられる。
【００１２】
断裁面が、用紙の地色とは異なる色の塗料又は箔で塗工されたものである場合、前記表記を、レーザ光の照射等の非接触除去手段によって塗料又は箔を断裁面と共に部分的に除去して形成することで、レーザ光を照射した部分と照射しない部分とのコントラストを明確にして、明瞭な表記を形成することができる。
【００１３】
また、本発明を適用できる好適な冊子としては、ノーカーボンタイプの複写簿を挙げることができる。斯かる複写簿は、用紙として、発色剤内蔵マイクロカプセルを裏面に塗工した上用紙と、加圧により破壊された前記マイクロカプセルから流出する発色剤と発色反応を示す顕色剤を表面に塗工した下用紙とを重層し、又は上用紙と下用紙との間に顕色剤を表面に発色剤内蔵マイクロカプセルを裏面にそれぞれ塗工した一枚以上の中用紙を重層したノーカーボンタイプの複写帳票組を一セット以上有してなり、上用紙及び下用紙、又は、上用紙、中用紙及び下用紙の各原紙を複写帳票組の順に重層した原紙セットを一セット又は複数セット重積した状態で、所要箇所を紙面と直交する方向に断裁することによって複写帳票組のセットを一以上得るようにしたものである。このようなものであれば、断裁された一セット以上の複写帳票組において断裁圧により発色剤と顕色剤との反応により発色した断裁面に、レーザ光の照射等の非接触除去手段によって表記を形成すると、これまで不要とされてきた複写簿の断裁面における発色を逆手に活用して、当該断裁面を新たに表示領域として積極的且つ有効に活用することが可能となる。また、減感剤や消色剤を使用する必要がないので、それらを使用するためのコストを大幅に低減でき、また発色が必要な用紙の表面上に減感剤等が付着して製品不良が生じる虞もない。
【００１４】
以上の他、本発明を好適に適用できる冊子としては、例えば辞書やカタログ等のように、複数枚の用紙が、表面又は裏面の少なくとも何れか一面の断裁面と接する端部に当該用紙とは異なる色の着色部分を有するものであり、且つ断裁面側から当該着色部分が断裁面とは異なる色として視認可能なものが挙げられ、この場合前記表記を、断裁面のうち着色部分が視認される部位に形成することが望ましい。このようにすることで、レーザ照射等の非接触除去手段によって除去された部分と除去がなされていない部分とが同色であっても、重ねられた用紙同士の若干のズレや透けなどによって断裁面に着色部分が見えるため、前記表記を明瞭に表示することができる。
【００１５】
また、用紙が、製本後の綴り元側の端縁を含む綴り元端部を残して切り離し可能なものである冊子においては、前記表記を、用紙の部分的な切り離し後に残ることになる綴り元端部において綴り元側の端縁以外の断裁面に形成することで、用紙を切り離した後でも綴り元端部における残存部分に表記を現しておくことができるので、全ての用紙を使い終わるまで断裁面における表記を機能させることが可能となる。
【００１６】
なお、このように綴り元端部側を残して用紙を切り離すものに限らずとも、用紙が、一部を残して切り離し可能な態様の冊子であれば、前記表記を、用紙のうち切り離されない残存部分の断裁面に形成すれば、上述と同様に全ての用紙を使い終わるまで断裁面における表記を機能させることができる。
【００１７】
また、本発明に係る冊子のうち、特に複写簿は、発色剤内蔵マイクロカプセルを裏面に塗工した上用紙と、加圧により破壊された前記マイクロカプセルから流出する発色剤と発色反応を示す顕色剤を表面に塗工した下用紙とを重層し、又は上用紙と下用紙との間に顕色剤を表面に発色剤内蔵マイクロカプセルを裏面にそれぞれ塗工した一枚以上の中用紙を重層したノーカーボンタイプの複写帳票組を一セット以上有してなり、上用紙及び下用紙、又は、上用紙、中用紙及び下用紙の各原紙を前記複写帳票組の順に重層した原紙セットを一セット又は複数セット重積した状態で、所要箇所を紙面と直交する方向に断裁することによって複写帳票組のセットを一以上得るようにしたものであって、断裁された一セット以上の複写帳票組において断裁圧により発色剤と顕色剤との反応による発色を生じ断裁面に対しレーザ光を照射するなどの非接触除去手段によって該断裁面を除去することによって、前記発色を消去して断裁面に前記用紙の地色を露呈させていることを特徴としている。
【００１８】
このように、ノーカーボンタイプの複写簿では、断裁圧により断裁面に不可避的な発色が生じても、その断裁面にレーザ照射等の非接触除去手段による処理を行って発色した断裁面を昇華又は蒸発させることで発色を消すことができるため、従来のように減感剤や消色剤を塗布する必要をなくしてコストダウンを図るとともに、用紙の地色が現れて見栄えの良い綺麗な断裁面を有する複写簿を得ることができる。なお、特にレーザ光を非接触除去手段として適用した場合、レーザ光が照射された部位では、用紙に含浸されている発色剤を内蔵したマイクロカプセルや顕色剤も断裁面と共に昇華又は蒸発により消失する。したがって、刃物を物理的に接触させて発色した断裁面を表面的に削り取ったのでは、刃物の接触圧により新たな発色が生じることになるが、本発明では物理的な接触のないレーザ光の照射等の非接触除去手段により断裁面を表面的に除去するため、新たな発色を生じることなく断裁面に用紙の地色を露呈させることができる。
【００１９】
なお、このような複写簿では、綴り元側にはテープ等を貼着して背表紙が形成されることがあるため、綴り元側の断裁面にはレーザ光の照射等の非接触除去手段による処理を施す必要がなく、一セット以上の複写帳票組を製本した際の綴り側となる断裁面以外の断裁面の略全域にレーザ光の照射等の非接触除去手段による処理をすることによって、これら除去処理がなされた断裁面に前記用紙の地色を露呈させれば十分である。
【００２０】
特にこの種の複写簿は、前記上用紙、下用紙、又は中用紙の少なくとも一種類が、製本後の綴り元側の端縁を含む綴り元端部を残して切り離し可能なものである場合が多いが、使用済の用紙を切り離した後でも複写簿の断裁面に前記表記が残存するようにするには、斯かる表記を、用紙の部分的な切り離し後に残ることになる綴り元端部において前記綴り元側の端縁以外の断裁面に形成するとよい。
【発明の効果】
【００２１】
本発明に係る冊子によれば、従来の冊子と同様に表紙（オモテ表紙、ウラ表紙、背表紙）を商品名、型番、ロゴ等の表記の表示領域としつつ、さらに断裁面も新たな表示領域とすることが可能である。そして、斯かる表記はレーザ照射等の非接触除去手段により断裁面が部分的に除去されることで形成されるので、インクのように粘性で用紙同士が接着したり滲みが生じるといった不具合がなく、小さな表記でも大きな表記でも鮮明且つ確実に形成することができる。また、断裁面への表記の形成に際しては、複数の冊子を積み重ねた状態で載置した状態で断裁面にレーザ照射等の非接触除去手段による処理を行うことができるため、複数の冊子に対して同時に表記の形成を行うことができ、作業スペースや効率、時間、コストの低減を図ることができる。
【００２２】
また、本発明に係る複写簿によれば、ノーカーボンタイプの複写簿における構造的な要因に基づく断裁面の発色を、レーザ光を照射する等の非接触除去手段による除去処理を断裁面に施すことで減感剤や消色剤を用いることなく消すことができる。その結果、減感剤や消色剤を塗布するために必要であったコストや手間を省き、しかも必要な部位への消色剤等の不用意な付着の虞もなくしつつ、断裁面を用紙自体の地色と同色として見栄えの良い複写簿を提供できることとなる。
【発明を実施するための最良の形態】
【００２３】
以下、本発明の実施形態を、図面を参照して説明する。
【００２４】
＜第一実施形態＞  図１に示すこの実施形態は、冊子の一形態として、納品伝票として使用されるノーカーボンタイプの複写簿Ａを採用した例を示すものである。本実施形態では、複写簿Ａのオモテ表紙２１の適宜箇所に製造・販売会社名Ｐａ、商品名Ｐｂ、品番Ｐｃ等の表記Ｐを示した表示領域２１Ｐを設けているのみならず、断裁面１Ｘをも表示領域１Ｑとして利用したものである。
【００２５】
この複写簿Ａは、上から順に上用紙１１、中用紙１２、及び下用紙１３（以上まとめて説明の便宜上、「用紙１」又は「各用紙１１、１２、１３」と称する場合がある）の三枚綴りからなる複写帳票組１Ｓを複数組（特に限定されないが、ここでは例えば５０組とする）上下に重積し、最上部の上用紙１１の上側にオモテ表紙２１、最下部の下用紙１３の下側にウラ表紙２２をそれぞれ配置して、全体の左端部を綴り元端部１ｔとして背表紙となる綴りテープ２３で製本してなるものである。各用紙２１、２２、２３は、図３（ａ）に示すように何れも略同じ大きさの横長な長方形状をなしており、重ね合わせた状態で各端縁１１ａ、１２ａ、１３ａは揃った状態とされている（図１、図３（ｂ）参照）。したがって、各用紙１１、１２、１３の端縁１１ａ、１２ａ、１３ａの束から構成される複写簿Ａの４つの断裁面１Ｘは、いずれも略面一となっている。なお、オモテ表紙２１及びウラ表紙２２も内部の用紙１と同大同形状であり、これらオモテ表紙２１及びウラ表紙２２の端縁２１ａ、２２ａも前記断裁面１Ｘの一部を構成している。
【００２６】
各用紙１１、１２、１３は、白色系の紙素材からなるものであり、各表面に納品伝票として必要な事項が印刷された本片１１Ａ、１２Ａ、１３Ａと、綴り元端部１ｔ側の余白部１１Ｂ、１２Ｂ、１３Ｂとから構成されており、使用済の本片１１Ａ、１２Ａ、１３Ａを余白部１１Ｂ、１２Ｂ、１３Ｂから切り離せるように、本片１１Ａ、１２Ａ、１３Ａと余白部１１Ｂ、１２Ｂ、１３Ｂとの間にそれぞれミシン目１１Ｃ、１２Ｃ、１３Ｃを形成している。すなわち余白部１１Ｂ、１２Ｂ、１３Ｂは、この複写簿Ａに切り離されずに残る残存部分に該当する。また、オモテ表紙２１及びウラ表紙２２は、用紙１よりも厚手の紙素材からなるものであり、特にオモテ表紙２１の表面は、当該複写簿Ａの製造・販売会社名Ｐａ、商品名Ｐｂ、品番Ｐｃ等の表記Ｐを表示した通常の表示領域２１Ｐとしてある。なお、ウラ表紙２２や綴りテープ２３（背表紙）も通常の表示領域として用いても構わない。
【００２７】
ここで、本実施形態の複写簿Ａにおける複写のための構造について説明する。上用紙１１の裏面には、発色剤内蔵マイクロカプセル（図示省略）を全面に塗工している。中用紙１２の表面には、前記発色剤と接触して着色反応を示す顕色剤（図示省略）が全面に塗工してある。また、中用紙１２の裏面には、上用紙１１の裏面と同様に発色剤内蔵マイクロカプセル（図示省略）を全面に塗工している。さらに、下用紙１３の表面には、中用紙１２の表面と同様に、顕色剤（図示省略）が全面に塗工してある。すなわち、上用紙１１の表面に筆記すると、その筆圧で上用紙１１の裏面及び中用紙１２の裏面のマイクロカプセルが破壊されて内部の発色剤が流出し、当該発色剤と中用紙１２の表面及び下用紙の表面に塗布された顕色剤とが反応することで、上用紙１１の記載が所定の色（通常は青や黒）で中用紙１２及び下用紙１３に複写される。
【００２８】
このような複写簿Ａは、次のような工程で製造される。まず、各用紙１１、１２、１３それぞれ専用のロール状に巻かれた状態の巻き取り原紙（図示省略）を用意する。上用紙１１用の巻き取り原紙には、裏面に発色剤内蔵マイクロカプセルが予め塗工されている。中用紙１２用の巻き取り原紙には、表面に顕色剤、裏面に発色剤内蔵マイクロカプセルが予め塗工されている。下用紙１３用の巻き取り原紙には、表面に顕色剤が塗工されている。そして、これら各巻き取り原紙の表面に、それぞれ罫線や文字、記号等の所要の事項を印刷したうえで、３つの巻き取り原紙の各一端を引き出して３枚重ねにして所定の長さごとに断裁する。ここでは、このようにロール状の巻き取り原紙から枚葉の状態に断裁したものを、上用紙用原紙、中用紙用原紙、下用紙用原紙と呼び、これら上用紙用原紙、中用紙用原紙、下用紙用原紙を一組の原紙セットと呼ぶこととする。ここで図２は、上用紙用原紙３１を特に示したものである。本実施形態では各原紙からそれぞれ上用紙１１、中用紙１２、下用紙１３を各９枚ずつ（縦３枚、横３枚）切り出しすことができるようにしている。なお、各原紙には、断裁後に各用紙のミシン目１１Ｃ、１２Ｃ、１３Ｃとなるミシン目を予め形成してある。図２には、このうち上用紙用原紙３１に形成したミシン目３１Ｃを示している。このような原紙セットを上下に複数セット（本実施形態の場合は５０セット）重積し、さらに最上部の上用紙用原紙３１の上にオモテ表紙の原紙、最下部の下用紙用原紙の下にウラ表紙用原紙を重ね合わせた状態として、図２に一点鎖線で示すような切断線３１ａに沿って断裁機の刃を入れて断裁し、合計９つの５０セット重ねの複写帳票組１Ｓを得る。このように断裁された状態では、断裁機の刃先から受ける外力によって上用紙１１の裏面と中用紙１２の裏面とに塗工されているマイクロカプセルが破壊されて内部の発色剤が流れ出し、その発色剤がそれぞれ中用紙１２の表面と下用紙１３の表面とに塗工されている顕色剤と反応し、中用紙１２の端縁１２ａと下用紙１３の端縁１３ａとに発色が現れる（図３（ａ）参照）。なお、断裁圧が端縁側から用紙１の内側に向かって徐々に小さくなるように作用することに伴い、この発色は、端縁１２ａ、１３ａにおいて最も濃く、内側に向けて徐々に薄く発現する。ただし、上用紙１１の端縁１１ａには発色が生じないが、全体の枚数の２／３を占める中用紙１２と下用紙１３の各端縁１２ａ、１３ａにおける発色の結果、図３（ｂ）に示すように複写簿Ａ全体として、各用紙１１、１２、１３の端縁１１ａ、１２ａ、１３ａの集合である断裁面１Ｘが発色することになる。なお、図１及び図３（ｂ）に示したように複写帳票組１Ｓの束には、オモテ表紙２１、ウラ表紙２２及び綴りテープ２３を用いて製本することで完成品の複写簿Ａを得ることとしている。そのため、断裁時には既にオモテ表紙２１とウラ表紙２２はそれぞれ配置されており、次の工程に移る前に、前記綴り元端部１ｔに綴りテープ３３を巻いて製本を終えるようにしている。また、ここまでの工程は、従来の複写簿の製造工程と同等である。なお、複写簿Ａは上述のような手順に限らず、例えば図２に示したような切断線３１ａのうち縦方向の切断線（４本）に沿って断裁した状態で綴りテープ２３をその断裁面側に巻き、その後横方向の切断線（４本）に沿って断裁するという手順によっても得ることができる。
【００２９】
このように、断裁面１Ｘに発色が生じた複写簿Ａについて、本実施形態では綴り元端部１ｔ側の断裁面を除く３つの断裁面１Ｘにレーザ光Ｌを照射することで、当該断裁面１Ｘを製造・販売会社名Ｑａ、商品名Ｑｂ、品番Ｑｃ等の表記Ｑを表示した表示領域１Ｑとして利用することとしている。このレーザ光Ｌは、非接触で複写簿Ａの断裁面１Ｘを除去する非接触除去手段の一例として適用したものである。すなわち、図４に示すように、複写簿Ａを複数冊（図示例では６冊としているが、これ以上でも以下でもよい）積み上げた状態で架台（図示省略）に載置し、各複写簿Ａの断裁面１Ｘを上下に整列させる。そして、これらの整列した断裁面１Ｘに対して、レーザ照射器ＬＭより所定の文字、図形、模様等を描くようにレーザ光Ｌを照射する。それにより断裁面１Ｘを構成する素材（紙、紙に含浸した発色剤及び顕色剤の反応物、未反応の発色剤とマイクロカプセル及び顕色剤）を昇華させ又は蒸発させて削り取り、断裁面１Ｘに表記Ｑを形成する。詳述すると、断裁面１Ｘにおいてレーザ光が照射された部位では、瞬間的に高熱に晒される結果、素材そのものが消失するため用紙１１、１２、１３の断面が露出して、用紙１の地色が露呈することになり、その周囲の発色した断裁面１Ｘとのコントラストによって表記Ｑが形成されるのである。なお、表記Ｑを形成するために、レーザ光Ｌの照射中においては、レーザ照射器ＬＭ又は複写簿Ａを載置した架台の何れか一方を適宜上下左右に移動させることとしている。また、レーザ光Ｌには適宜の種類のものを適宜の強度で用いてもよいが、光が端縁１１ａ、１２ａ、１３ａから紙の内部深くまで入り込まずに瞬時に蒸散し、照射された紙を変色させない等の利点を考慮して、本実施例ではＣＯ2レーザを用いている。なお、本実施形態では、レーザ照射器ＬＭとして、株式会社キーエンス製レーザ照射装置（品番ML-9100）を出力３０Ｗで使用しているが、この種のレーザ照射装置であれば適宜のものを利用することができる。
【００３０】
ここで、本実施形態では、上述のような表記Ｑを、断裁面１Ｘのうち各用紙１１、１２、１３の本片１１Ａ、１２Ａ、１３Ａに対応する箇所に加えて、余白部１１Ｂ、１２Ｂ、１３Ｂに対応する箇所にも、表記Ｑの一部として商品名「納品書」Ｑｄを形成している。このようにすることで、図５に示すように、使用後の本片１１Ａ、１２Ａ、１３Ａを余白部１１Ｂ、１２Ｂ、１３Ｂから切り離すと、断裁面１Ｘの本片１１Ａ、１２Ａ、１３Ａに該当する部位では次第に表記Ｑａ、Ｑｂ、Ｑｃが欠けていくが、断裁面１Ｘのうち複写簿Ａの綴り元端部１ｔにおいて綴りテープ２３が巻かれていない部位をも表示領域１Ｑとして利用することができるため、本片１１Ａ、１２Ａ、１３Ａを切り離しても表記Ｑｄが残ることになり、この複写簿Ａを使用し終えるまでこの表記Ｑｄを残し続けることができる。
【００３１】
以上の通り、本実施形態の複写簿Ａは、表紙（オモテ表紙２１）を製造・販売会社名Ｐａ、商品名Ｐｂ、品番Ｐｄ等の表記Ｐを表示する表示領域２１Ｐとするだけでなく、断裁面１Ｘをも表示領域１Ｑとして活用したものである。そして断裁面１Ｘに表記１Ｑを形成するために、非接触で断裁面１Ｘを部分的に除去する非接触除去手段としてレーザ光Ｌを照射している。具体的には、複写簿Ａの製造時において複写のために必要な構造的要因により生じる断裁面１Ｘの発色を消す、すなわち原紙３１等を複数枚重ねて断裁し上用紙１１、中用紙１２、下用紙１３を作る際にその断裁圧によってこれら各用紙１１、１２、１３に塗工されている発色剤と顕色剤とが反応してしまう結果生じる断裁面の発色を、用紙１の素材ごと非接触的にレーザ光Ｌの照射で部分的に除去することで用紙１の地色を露呈させるようにしている。
【００３２】
したがって、従前は複写簿の断裁面における発色を減感剤や消色剤を塗布する手法によって消すための努力がなされてきたが、斯かる発色を逆手に利用し、発色した断裁面１Ｘにレーザ光Ｌを照射することによって除去された部位における用紙の地色と発色した箇所とのコントラストで、断裁面１Ｘを従来にない新たな表示領域１Ｑとして有効に活用することが可能である。その結果、比較的高価な減感剤等の使用を全くやめることができる。さらに、断裁面１Ｘに表記Ｑを形成することで、オモテ表紙２１の表記Ｐが見えない状態で複写簿Ａを棚や抽斗等に配置した場合でも、断裁面１Ｘの表記Ｑは使用者に見えるようにすることができるため、複写簿Ａを使用する際の利便性も向上する。
【００３３】
また本実施形態では、非接触除去手段としてレーザ光Ｌを用いているため、微細な文字や図形、模様等からなる表記Ｑを断裁面に描くことができる。そしてこのように断裁面１Ｘに表記Ｑを形成する場合は、表紙（オモテ表紙２１等）の表面に表記Ｐを印刷する場合と異なり、上述した作業例のように複数の複写簿Ａを積み重ねた状態として、或いは複数の複写簿Ａを立てて並べた状態として、それらの断裁面１Ｘに対してレーザ光Ｌを照射することができるので、複数の複写簿Ａに対する断裁面１Ｘへの表記Ｑの形成処理を一挙に行うことが可能である。また、この複写簿Ａの断裁面１Ｘには、用紙１うち使用後に切り離される本片１１Ａ、１２Ａ、１３Ａ部分のみならず、使用済の本片１１Ａ、１２Ａ、１３Ａを切り離した後に複写簿Ａに残存する余白部１１Ｂ、１２Ｂ、１３Ｂにも表記Ｑｄを形成しているので、この複写簿Ａを使い切るまで当該表記Ｑを残しておくことができる。
【００３４】
なお、以上に説明した第一実施形態では、断裁面１Ｘにおける表記Ｑを、当該表記Ｑを構成する文字、記号、模様等に該当する箇所にレーザ光Ｌを照射することで形成した例を示したが、例えば図６に示す複写簿Ａ'のように、発色した断裁面１Ｘのうち表記Ｑ'（Ｑ'ａ、Ｑ'ｂ、Ｑ'ｃ、Ｑ'ｄ）とすべき箇所以外の部位にレーザ光Ｌを照射しても、表記Ｑ'を形成することができる。すなわち、表記Ｑ'部分は断裁圧により発色剤と顕色剤とが反応して生じた発色（例えば青や黒）を残したままとし、それ以外の部位については発色を素材ごとレーザ光Ｌで昇華又は蒸発させることで用紙１１、１２、１３の地色（例えば白系統）が露呈した状態としても、断裁面１Ｘにおいてレーザ光Ｌを照射した箇所と照射していない箇所とのコントラストが明瞭に現れるため、当該断裁面１Ｘを表示領域１Ｑ'として利用することができる。
【００３５】
＜第二実施形態＞  また、本発明は、上述のような複写簿Ａ、Ａ'に限定されるものではない。例えば図７に示す第二実施形態は、帳簿の一種である仕訳帳Ｂを例示するものである。この仕訳帳Ｂは、通常の仕訳帳として利用可能な事項を表面に印刷した白色系統の用紙１００を複数重ね、それらの一つの端縁を表紙２００で綴ったものであるが、商品価値を高めるべく、各用紙１００の端縁１００ａ（綴り側の端縁を除く）に金箔１００ｇを塗工したものである。なお、図示しないがこの仕訳帳１の中身である用紙１００も、前記実施形態の複写簿Ａと同様に、多数の原紙を重ねた状態で断裁することにより形成したものである。
【００３６】
同図に示すように、この仕訳帳Ｂの表紙（オモテ表紙２００）には、一例として商品名「仕訳帳」の表記Ｐ''等が印刷されている。一方、用紙１００の端縁１００ａの集合である断裁面のうち綴り元側の断裁面を除いて金箔１００ｇを塗工した断裁面１００Ｘにも、商品名である「仕訳帳」の文字Ｑ''ａと、使用者名（○△（株））Ｑ''ｂの文字からなる表記Ｑ''を形成している。すなわち本実施形態の仕訳帳Ｂも、表紙（オモテ表紙２００）を表示領域２００Ｐとするだけでなく、断裁面１００Ｘをも表示領域１００Ｑとしたものである。
【００３７】
このような断裁面１００Ｘにおける表記Ｑ''は、上記第一実施形態の場合と同様にして形成される。すなわち、用紙１００の端縁１００ａに金箔１００ｇを塗工した後、複数の仕訳帳Ｂを積み重ねるか立てて並べた状態として断裁面１００Ｘを整列させ、それらの断裁面１００Ｘに対して表記Ｑ''を描くようにレーザ光Ｌを照射することによって、その照射された部位における金箔１００ｇ又は金箔１００ｇと用紙１００Ｘの素材を昇華させて用紙１００の断面における地色を露出させる。
【００３８】
このようにすることで、全面的に金箔１００ｇが塗布された断裁面１００Ｘにおいて金箔１００ｇのない部分を表記Ｑ''として形成することができるので、断裁面１００Ｘにも表示領域１００Ｑを設けた冊子たる仕訳帳Ｂを得ることができる。この場合も、断裁面１００Ｘに単に金箔１００ｇを貼ることで商品価値を高めるのに留まらず、その断裁面１００Ｘを表示領域１００Ｑとしても有効に利用することができる点で、さらなる商品価値の向上を図ることができる。また、第一実施形態においても共通するが、レーザ光Ｌの照射により形成される表記Ｑ''として、当該冊子の使用者名Ｑ''ｂを適用することができるので、従来にない新しい名入れサービスとして商品展開を図ることも可能である。なお、以上の例では断裁面１００Ｘに金箔１００ｇを塗工したものを示したが、金箔１００ｇの代わりに用紙１００の地色とは異なる色のインクを塗工したものであっても、同様に付加価値のある冊子を創出することができる。なお、第一実施形態の変形例のように、断裁面１００Ｘのうち表記を形成すべき部分以外にレーザ光Ｌを照射して用紙１００の地色を露呈させ、金箔１００ｇが残った部位を表記とすることも可能である。
【００３９】
さらに、断裁面に形成される表記は、文字や図形等の形状の定まったものに限られない。例えば図８に示す変形例は、冊子の一例として帳簿の一種である売上帳Ｂ'であるが、この例では上記第二実施形態と同様に用紙１００'の端縁１００'ａに金箔｛又は有色（用紙とは異なる色）のインク｝１００ｇを塗工したものであり、斯かる用紙１００'の端縁１００'ａの集合からなる断裁面（綴り側の断裁面を除く）１００'Ｘに、不定形の模様（例えばマーブル模様）からなる表記Ｑ'''を形成したものである。このような表記Ｑ'''は、断裁面１００'Ｘへのレーザ光Ｌの照射時に、適宜レーザ光Ｌの出力を変化させることで形成することが可能である。すなわち、レーザ光Ｌの出力の強弱によって除去される用紙１００'の端縁１００'ａの金箔１００ｇやインク又はそれらと用紙１００'の素材の深さに変化が表れるため、それによって斯かる模様からなる表記Ｑ'''が形成されるのである。このようなものであれば、意匠的にも斬新な断裁面１００'Ｘを有する冊子を創出することができるうえに、用紙（ページ）１００'の部分的な抜き取り等による改竄防止にも役立てることができる。なお、この例と類似の外観を有する従前の冊子として、断裁面にインクをマーブル模様で塗装したものが知られているが、この例では、用紙の端縁に予め塗工された金箔１００ｇやインク又はそれらと用紙の素材をレーザ光Ｌの照射によって除去するため、従前のもののようにインクの粘着性によって重ねられた用紙同士が貼り付いてページ捲りに支障が生じるというような不具合を排除することができる。
【００４０】
＜第三実施形態＞  図９に示す本実施形態は、第一実施形態と同様のノーカーボンタイプの複写簿Ａ''である。すなわち、図３（ｂ）に示したように、原紙３１等から用紙１（上用紙１１、中用紙１２、下用紙１３）を切り出す際に、上用紙１１及び中用紙１２の裏面に塗布されたマイクロカプセルが断裁圧により破壊され、その内部の発色剤が流出して中用紙１２及び下用紙１３の表面に塗布された顕色剤と反応することで、断裁面１Ｘに発色が生じたものである。なお本実施形態は、複写簿Ａ''の断裁面１Ｘに対する処理以外については第一実施形態と同様であるので説明を省略する。
【００４１】
本実施形態ではこの断裁面１Ｘにおける発色を全て消して用紙２１、２２、２３の地色を露出させ、発色のない綺麗な断裁面１Ｘを有する複写簿Ａ''を得たものである。すなわち、第一実施形態において図４に示したように断裁面１Ｘにレーザ光Ｌを照射するに際して、文字や図形を描くようにレーザ光Ｌの照射を行って表記Ｑを形成したが、本実施形態の場合は断裁面（綴り側の断裁面を除く）１Ｘに対して全面的にレーザ光Ｌの照射を行っている。このようにすることで、レーザ光Ｌの瞬間的な熱で断裁面１Ｘの発色を素材（紙、マイクロカプセル、発色剤、顕色剤、及び発色剤と顕色剤のと反応物）ごと昇華又は蒸発させ、用紙１の断面における地色を断裁面１Ｘの前面に亘って露呈させるため、断裁面１Ｘは各用紙１１、１２、１３の表面及び裏面と同一色となり、断裁面１Ｘを発色のない綺麗で見栄えの良い状態とすることができる。
【００４２】
以上のようにして断裁面１Ｘの発色を消した複写簿Ａ''であれば、従来の複写簿のように断裁面に減感剤や消色剤を塗布する必要がないため、減感剤等の購入や塗布に要していたコストを削減することができる。もちろん、また、減感剤等を使用しないことにより、発色が本来必要な用紙１の表面に付着する可能性を排除できることから、製品不良を低減することも可能である。また、レーザ光Ｌの照射によって発色が消失した断裁面１Ｘでは、用紙１１、１２、１３に予め塗布されていた発色剤（及びマイクロカプセル）と顕色剤も昇華又は蒸発しているので、発色をなくした断裁面１Ｘに物が当たるなどして事後的に圧力が作用しても、その部位に新たな発色が生じ得ないというメリットも得られる。
【００４３】
なお、本発明は上述した各実施形態に限られず、あらゆる態様の冊子に適用することが可能である。例えば、断裁面が元々用紙の地色を呈しているが、見出し等のために用紙の端縁に沿った表面又は裏面に色や模様が印刷されており、その印刷が用紙の僅かなズレや紙を透けることにより断裁面側に視認できるようにした辞書やカタログ等の冊子に対して、当該断裁面のうち印刷が見えている部位にレーザ光を照射して表記を形成することも可能である。また、以上の例では断裁面に表記を形成したり断裁面の発色を全て消すための非接触除去手段としてレーザ光を用いた態様を示したが、斯かる非接触除去手段としては、レーザ光以外に強力な可視光、紫外光、赤外光等を適用することも可能である。また、レーザ光を適用する場合であっても、ＣＯ2レーザに限られることなくその他一般的なレーザ光を適宜利用することができる。
【００４４】
その他、各部の具体的構成についても上記各実施形態又はそれらの変形例に限られるものではなく、本発明の趣旨を逸脱しない範囲で種々変形が可能である。
【図面の簡単な説明】
【００４５】
【図１】本発明に係る冊子の第一実施形態である複写簿を示す斜視図。
【図２】同複写簿の原紙の一種を示す平面図。
【図３】同複写簿を構成する複写帳票組及び断裁面へのレーザ照射前の状態における複写簿を示す斜視図。
【図４】同複写簿の断裁面へのレーザ項の照射工程を示す概念図。
【図５】同複写簿の用紙の一部を使用済の状態で示す斜視図。
【図６】同実施形態の変形例に係る複写簿を示す斜視図。
【図７】本発明に係る冊子の第二実施形態である仕訳帳を示す斜視図。
【図８】同実施形態の変形例に係る売上帳を示す斜視図。
【図９】本発明に係る冊子の第三実施形態である複写簿を示す斜視図。
【符号の説明】
【００４６】
Ａ、Ａ'、Ａ''…冊子（複写簿）
Ｂ…冊子（仕訳帳）
Ｂ'…冊子（売上帳）
Ｌ…非接触除去手段（レーザ光）
Ｑ、Ｑ'、Ｑ''、Ｑ'''…表記
１、１００、１００'…用紙
１ａ、１００ａ、１００'ａ…端縁
１００ｇ…金箔
１Ｑ、１Ｑ'、１００Ｑ、１００'Ｑ…表示領域
１Ｓ…複写帳票組
１ｔ…綴り元端部
１Ｘ、１００Ｘ、１００'Ｘ…断裁面
【図１】
2006001029.tif 000003
【図２】
2006001029.tif 000004
【図３】
2006001029.tif 000005
【図４】
2006001029.tif 000006
【図５】
2006001029.tif 000007
【図６】
2006001029.tif 000008
【図７】
2006001029.tif 000009
【図８】
2006001029.tif 000010
【図９】
2006001029.tif 000011